(57)【特許請求の範囲】
【請求項１】
縦長の機枠の上、下端に軸支され、両端にスプロケットが装着された互いに平行で水平な上部、下部軸と、上下で対向する両端のスプロケットに巻回されたループ状のチェーンと、両端のチェーンの外側に所要間隔で多数掛け渡され、チェーン上昇側において両端のチェーン間に収まる上向きコ字状のブランクが隣り合う２枚に亘って又は所要枚数毎の１枚に形成されたスラットと、曲率中心線が上部軸と平行な曲板状の底壁、底壁の両端を閉鎖するほぼ扇形の両側壁及び両側壁の一側縁に先端側を取り付けた揺動アームを有し、前記スラットの外側面から底壁及び両側壁の内面をブランクの周縁に摺接させて出没可能とすべく、底壁の内面がチェーン上昇側において上方となるようにして上部軸と平行な軸を介し両端の揺動アームの基部が所要のスラットの内側に枢着された多数のバケットと、各バケットの両端の揺動アームのほぼ中間部の外側に上部軸と平行なピンを介して軸着されたコロと、前記機枠に取り付けられ、各バケットを機枠の下方、チェーン上昇側及び上方においてスラットの外側面から突出させるべく、各コロを転動させる突出ガイドレールと、前記機枠に取り付けられ、各バケットを機枠のチェーン下降側においてスラットの外側面から没入させるべく、各コロを転動させる没入ガイドレールとを備えることを特徴とするバケットエレベータ。
【請求項２】
前記スラットの外側面におけるブランクの周辺に設けられ、バケットの底壁及び両側壁の外面と摺接するスクレーパを備えることを特徴とする請求項１記載のバケットエレベータ。
【請求項３】
縦長の機枠の上、下端に軸支され、両端にスプロケットが装着された互いに平行で水平な上部、下部軸と、上下で対向する両端のスプロケットに巻回されたループ状のチェーンと、両端のチェーンの外側に所要間隔で掛け渡された多数のスラットと、曲率中心線が上部軸と平行な曲板状で両端のチェーン間に収まる長さの底壁及び底壁の両端における内面の一側縁寄りに先端を取り付けた揺動アームを有し、前記両端のチェーン間において隣り合うスラット間からの底壁の内面をスラットの一側縁に摺接させて出没可能とすべく、底壁の内面がチェーン上昇側において上方となるようようにして上部軸と平行な軸を介し両端の揺動アームの基部が所要のスラットの内側に枢着された多数のバケットと、各バケットの両端の揺動アームのほぼ中間部の外側に上部軸と平行なピンを介して軸着されたコロと、前記機枠に取り付けられ、各バケットを機枠の下方、チェーン上昇側及び上方においてスラットの外側面から突出させるべく、各コロを転動させる突出ガイドレールと、前記機枠に取り付けられ、各バケットを機枠のチェーン下降側においてスラットの外側面から没入させるべく、各コロを転動させる没入ガイドレールとを備えることを特徴とするバケットエレベータ。
【請求項４】
前記スラットの外側面における他側縁に設けられ、バケットの底壁の外面と摺接するスクレーパを備えることを特徴とする請求項３記載のバケットエレベータ。
【請求項５】
前記隣り合うスラット間を閉鎖する伸縮又は展開可能な遮蔽体を備えることを特徴とする請求項１、２、３又は４記載のバケットエレベータ。
【発明の詳細な説明】
【０００１】
【発明の属する技術分野】
本発明は、原料や製品等の被搬送物を下方から上方へ連続的に搬送し、被搬送物をバケットから完全に排出するようにしたバケットエレベータに関する。
【０００２】
【従来の技術】
従来、この種のバケットエレベータとしては、特開平７−１２５８２０号公報記載の開閉式バケットコンベアが知られている。
この開閉式バケットコンベアは、上下方向に亘り張架され、回転により駆動される並列的に配置された二本のチェーンにより被移送物を移送するバケット型コンベアにおいて、該チェーンにバケットの側板の一端を結合連結し、該側板の基端を底板に対して開閉可能に枢着するとともに該側板に、底板を槌打するための槌打装置を揺動可能に取付け、さらに、前記並列的に配置された二本のチェーンのコンベア軌道巾の一部を拡大するように構成し、これによりバケット側板を開閉可能にしたものである。
上記構成の開閉式バケットコンベアは、下方より上方に向けて移送されたバケット型コンベアが、上部位置で反転してバケット内に収納されていた被移送物を重力により排出させた後、下降して行く際に、並列配置した二本のチェーンの軌道巾を広げることにより各チェーンに一端を結合したバケットの側板を開くとともに、側板に揺動可能に取付けたハンマーによりバケット底板を槌打ちし、バケット内に残留する被移送物を完全に排出するというものである。
【０００３】
【発明が解決しようとする課題】
しかし、従来のバケットエレベータでは、バケット反転時に側板が開放され、かつ、底板が槌打されるので、ある程度の残留物の排出が行われるものの、被搬送物が付着性・粘着性のものである場合、バケットからの残留物の排出を完全に行うことが困難となる不具合がある。
かかる不具合に対処するため、特開平１１−３５０５２８号公報には、バケットに剥離剤を入れてバケットの少なくとも内表面を剥離剤で被覆し、被搬送物がバケットの内表面に付着しないようにする付着性物質の搬送方法が知られているが、剥離剤が被搬送物と反応する等のおそれがある。
【０００４】
そこで、本発明は、付着性・粘着性の被搬送物をバケット内から完全に排出し得るバケットエレベータを提供することを主目的とする。
【０００５】
【課題を解決するための手段】
前記課題を解決するため、本発明の第１のバケットエレベータは、縦長の機枠の上、下端に軸支され、両端にスプロケットが装着された互いに平行で水平な上部、下部軸と、上下で対向する両端のスプロケットに巻回されたループ状のチェーンと、両端のチェーンの外側に所要間隔で多数掛け渡され、チェーン上昇側において両端のチェーン間に収まる上向きコ字状のブランクが隣り合う２枚に亘って又は所要枚数毎の１枚に形成されたスラットと、曲率中心線が上部軸と平行な曲板状の底壁、底壁の両端を閉鎖するほぼ扇形の両側壁及び両側壁の一側縁に先端側を取り付けた揺動アームを有し、前記スラットの外側面から底壁及び両側壁の内面をブランクの周縁に摺接させて出没可能とすべく、底壁の内面がチェーン上昇側において上方となるようにして上部軸と平行な軸を介し両端の揺動アームの基部が所要のスラットの内側面に枢着された多数のバケットと、各バケットの両端の揺動アームのほぼ中間部の外側に上部軸と平行なピンを介して軸着されたコロと、前記機枠に取り付けられ、各バケットを機枠の下方、チェーン上昇側及び上方においてスラットの外側面から突出させるべく、各コロを転動させる突出ガイドレールと、前記機枠に取り付けられ、各バケットを機枠のチェーン下降側においてスラットの外側面から没入させるべく、各コロを転動させる没入ガイドレールとを備えることを特徴とする。
【０００６】
第２のバケットエレベータは、第１のものにおいて、前記スラットの外側面におけるブランクの周辺に設けられ、バケットの底壁及び両側壁の外面と摺接するスクレーパを備えることを特徴とする。
【０００７】
第３のバケットエレベータは、縦長の機枠の上、下端に軸支され、両端にスプロケットが装着された互いに平行で水平な上部、下部軸と、上下で対向する両端のスプロケットに巻回されたループ状のチェーンと、両端のチェーンの外側に所要間隔で掛け渡された多数のスラットと、曲率中心線が上部軸と平行な曲板状で両端のチェーン間に収まる長さの底壁及び底壁の両端における内面の一側縁寄りに先端を取り付けた揺動アームを有し、前記両端のチェーン間において隣り合うスラット間から底壁の内面をスラットの一側縁に摺接させて出没可能とすべく、底壁の内面がチェーン上昇側において上方となるようようにして上部軸と平行な軸を介し両端の揺動アームの基部が所要のスラットの内側に枢着された多数のバケットと、各バケットの両端の揺動アームのほぼ中間部の外側に上部軸と平行なピンを介して軸着されたコロと、前記機枠に取り付けられ、各バケットを機枠の下方、チェーン上昇側及び上方においてスラットの外側面から突出させるべく、各コロを転動させる突出ガイドレールと、前記機枠に取り付けられ、各バケットを機枠のチェーン下降側においてスラットの外側面から没入させるべく、各コロを転動させる没入ガイドレールとを備えることを特徴とする。
【０００８】
第４のバケットエレベータは、第３のものにおいて、前記スラットの外側面における他側縁に設けられ、バケットの底壁の外面と摺接するスクレーパを備えることを特徴とする。
【０００９】
又、第５のバケットエレベータは、第１、第２、第３又は第４のものにおいて、前記隣り合うスラット間を閉鎖する伸縮又は展開可能な遮蔽体を備えることを特徴とする。
【００１０】
【作用】
第１のバケットエレベータにおいては、被搬送物を収容したバケットがチェーンの上昇に伴って上昇し、機枠の上方を通過後、被搬送物の大部分がバケットから排出され、バケットがチェーンの下降に伴って下降し始めると、バケットが底壁及び両側壁の内面をブランクの周縁に摺接しながらスラットの外側面から没入する。
【００１１】
第２のバケットエレベータにおいては、第１のものによる作用の他、スラットの外側面からのバケットの没入時に、スクレーパがバケットの底壁及び両側壁の外面と摺接する。
【００１２】
第３のバケットエレベータにおいては、被搬送物を収容したバケットがチェーンの上昇に伴って上昇し、機枠の上方を通過後、被搬送物の大部分がバケットから排出され、バケットがチェーンの下降に伴って下降し始めると、バケットが底壁の内面をスラットの一側縁に摺接しながらスラットの外側面から没入する。
【００１３】
第４のバケットエレベータにおいては、第３のものによる作用の他、スラットの外側面からのバケットの没入時に、スクレーパがバケットの底壁の外面と摺接する。
【００１４】
又、第５のバケットエレベータにおいては、第１、第２、第３又は第４のものによる作用の他、隣り合うスラット間からのスラットの内側面側への被搬送物の侵入が阻止される。
【００１５】
以下、本発明の実施の形態について図面を参照して説明する。
図１及び図２は本発明に係るバケットエレベータの第１の実施の形態を示す一部を省略した右側面断面図及び一部を省略した正面断面図である。
図中１は縦長で偏平な箱形の機枠で、この機枠１の両側面（図２においては、左、右両側面）には、後述するようにバケットをスラットの外側面から突出させるための板状の突出ガイドレール２が取り付けられている。
両側の突出ガイドレール２は、板厚方向の周面をガイド面とするもので、それぞれ軸受ブラケットを兼ねるべく機枠１の上端から上方へ突出したほぼ円弧状の突出部を有する上部突出ガイドレール２ａと、同様に軸受ブラケットを兼ねるべく機枠１の下端から下方へ突出したほぼ円弧状の突出部を有する下部突出ガイドレール２ｂと、上部、下部突出ガイドレール２ａ，２ｂ間に介在され、それらと及び相互に所要間隔で隔離された複数の中間部突出ガイドレール２ｃとからなるものであり、両側の下部突出ガイドレール２ｃは、後述するチェーンのテンションを調節すべく、機枠１の両側面に取り付けたアジャストブロック３及びアジャストブロック３に螺入した複数のアジャストボルト４を介して上下動可能に設けられている。
【００１６】
両側の突出ガイドレール２の上部突出ガイドレール２ａには、上部軸５が水平に軸支されている一方、下部突出ガイドレール２ｂには、下部軸６が上部軸５と平行に軸支されている。
上記上部、下部軸５，６の両端部には、スプロケット７，８が上下対向して装着されていると共に、上部、下部軸５，６の両端は、適宜に固定された軸受ブラケット９，１０に支承されており、上部軸５の一端部には、この上部軸を回転駆動すべく、適宜の回転駆動装置とチェーン（共に図示せず）を介して連動連結されるスプロケット１１が装着されている。
そして、上下で対向する両端のスプロケット７，８にはループ状のチェーン１２がそれぞれ巻回されている。
【００１７】
両端のチェーン１２の外側には、比較的小幅のスラット１３と比較的大幅のスラット１４とが、互いに近接して交互に多数掛け渡されており、これらのスラット１３，１４には、チェーン上昇側（図１においては左側）において両チェーン１２間に収まる上向きコ字状のブランク１５（図３、図４参照）が、隣り合う比較的小幅のスラット１３と比較的大幅のスラット１４の２枚に亘って形成されている。上記比較的大幅の各スラット１４の内側面（図４においては右側面）には、曲率中心線が上部軸５と平行な曲板状の底壁１６ａ、底壁１６ａの両端（図３においては左、右両端）を閉鎖するほぼ扇形の両側壁１６ｂ、両側壁１６ｂの一側縁（図４においては右側縁）に先端側（図４においては下端側）を取り付けた揺動アーム１６ｃ及び両端の揺動アーム１６ｃの先端間に横架した補強プレート１６ｄからなるバケット１６の両端の揺動アーム１６ｃの基部が、スラット１３，１４の外側面（図４においては左側面）から底壁１６ａ及び両側壁１６ｂの内面をブランク１５の周縁に摺接させて出没可能とすべく、底壁１６ａの内面（凹曲面）がチェーン上昇側において上方となるようにして上部軸５と平行な軸１７を介し枢着されている。
そして、各バケット１６の両端の揺動アーム１６ｃのほぼ中間部の外側には、各バケット１６を機枠１の下方、チェーン上昇側及び上方においてスラット１３，１４の外側面から突出させるべく、突出ガイドレール２のガイド面に沿って転動するコロ１８が、それぞれ上部軸５と平行なピン１９を介して軸着されている。
【００１８】
又、各スラット１３，１４の外側面におけるブランク１５の周辺には、図５に示すように、バケット１６の底壁１６ａ及び両側壁１６ｂの外面と摺接するスクレーパ２０，２１が設けられていると共に、バケット１６の底壁１６ａ及び両側壁の内面と摺接するスクレーパ２２が設けられている。
【００１９】
更に、隣り合うスラット１３，１４間には、両者間の間隙を閉鎖するゴム等からなる伸縮可能な遮蔽体２３，２４が、両者に跨がって装着されている。
【００２０】
一方、突出ガイドレール２における上部、下部突出ガイドレール２ａ，２ｂと中間部突出ガイドレール２ｃとの間及び中間部突出ガイドレール２ｃ相互間の機枠１には、図１に示すように、上部、下部突出ガイドレール２ａ，２ｂと中間部突出ガイドレール２ｃとの間及び中間部突出ガイドレール２ｃ相互間の間隔と同幅の補助突出ガイドプレート２５が、チェーン上昇側に位置して機枠１の両側方へ突出して取り付けられている。この補助突出ガイドレール２５は、突出ガイドレール２と同様に、各バケット１６をスラット１３，１４の外側面から突出させるべく、バケット１６に装着したコロ１８を転動させるものであり、機枠１の両側方へ突出した補助突出ガイドレール２５の端部（図６においては、上、下端部）には、上下で対向するスプロケット７，８間でチェーン１２を案内する上下方向のチェーンガイド２６が取り付けられている。
又、突出ガイドレール２における上部、下部突出ガイドレール２ａ，２ｂと中間部突出ガイドレール２ｃとの間及び中間部突出ガイドレール２ｃ相互間の機枠１には、図１に示すように、上部、下部突出ガイドレール２ａ，２ｂと中間部突出ガイドレール２ｃとの間及び中間部突出ガイドレール２ｃ相互間と同幅のガイドホルダープレート２７が、機枠１の両側に位置してホルダーブロック２８（図６参照）を介し機枠１のチェーン下降側（図１においては右側）へ突出して取り付けられている。このガイドホルダープレート２７には、図１、図６に示すように、各バケット１６を機枠１のチェーン下降側においてスラット１３，１４の外側面から没入させるべく、バケット１６に装着したコロ１８を転動させる上下方向の没入ガイドレール２９が取り付けられている。そして、又、ガイドホルダープレート２７には、図６に示すように、上下で対向するスプロケット７，８間でチェーン１２を案内する上下方向のチェーンガイド３０が取り付けられている。
【００２１】
なお、チェーン１２は、チェーンガイド２６，３０からの浮き上がりを生じた場合、チェーン上昇側においては、各バケット１６の突出量が少なくなって被搬送物の搬送量が減少し、又、チェーン下降側においては、各バケット１６の没入量が少なくなって完全なスクレーパ作用が困難になり、搬送能力に悪影響を与えるのを防止するため、図示しない浮き上がり防止手段を介してチェーンガイド２６，３０からの浮き上がりを防止されているものである。
浮き上がり防止手段は、両端のチェーン１２の外側の片側だけにアタッチメントを取り付け、このアタッチメントをチェーンガイド２６，３０の内側に摺接させるように設けてなる。
【００２２】
図１、図２及び図６において３１はスラット１３，１４及びバケット１６を全体的に被包するケーシングで、このケーシング３１におけるチェーン上昇側の下部には、付着性・粘着性の被搬送物（図示せず）が投入される投入口３２が設けられ、又、チェーン下降側の上部には、上記被搬送物が排出される排出口３３が設けられている。
【００２３】
上記構成のバケットエレベータによって付着性・粘着性の被搬送物を下方から上方へ連続的に搬送するには、回転駆動装置を作動し、チェーン及びスプロケット１１を介し上部軸５を図１において右回りに回転させて、バケットエレベータを運転し、投入口３２から被搬送物を投入する。
投入口から投入された被搬送物は、チェーン上昇側の下部に位置するバケット１６に収容され、バケット１６の上昇に従って上昇し、機枠１の上方において一部がスラット１３，１４の外側面に零れると共に、バケット１６のチェーン下降側への移行に伴い、バケット１６内及びスラット１３，１４の外側面から自重により大部分が排出口３３を経て機外へ落下排出される。
バケット１６が機枠１の上方からチェーン下降側へ移行する際、スラット１３，１４上に零れた被搬送物は、隣り合うスラット１３，１４間の間隙からスラット１３，１４の内側面側へ落下しようとするが、遮蔽体２３，２４によってその内側面側への落下が阻止される。
又、バケット１６がチェーン下降側へ移行すると、バケット１６は、底壁１６ａ及び両側壁１６ｂの内面がブランク１５の周縁及びスクレーパ２２に摺接し、かつ、底壁１６ａ及び両側壁１６ｂの外面がスクレーパ２０，２１に摺接しながらスラット１３，１４の外側面から没入する。
従って、バケット１６の底壁１６ａ及び両側壁１６ｂの内、外面に付着した被搬送物は、強制的に完全に掻き取られ、自重により排出口３３を経て機外に排出される。
更に、バケット１６が機枠１の下方へ移行すると、バケット１６は、スラット１３，１４の外側面から突出した状態となった後、チェーン上昇側へ移行する。
【００２４】
図７、図８及び図９は本発明に係るバケットエレベータの第２の実施の形態を示す要部の右側面断面図、図７におけるVIII方向矢視拡大図及び図８におけるIX方向矢視図である。
このバケットエレベータは、前述した実施の形態のものが、両端のチェーン１２の外側に比較的小幅のスラット１３と比較的大幅のスラット１４とを互いに近接させて交互に多数掛け渡し、チェーン上昇側において両端のチェーン１２間に収まる上向きコ字状のブランク１５を隣り合う比較的小幅のスラット１３と比較的大幅のスラット１４の２枚に亘って形成しているのに対し、両端のチェーン１２の外側に比較的大幅のスラット３４を所要間隔で多数掛け渡し、各スラット３４毎に、チェーン１２の上昇側（図７においては左側）において両端のチェーン１２間に収まる上向きコ字状のブランク３５を形成すると共に、各スラット３４の内側面に、前述した実施の形態のものとほぼ同様のバケット１６の揺動アーム１６ｃの基部を、スラット３４の外側面（図７においては左側面）から底壁１６ａ及び両側壁１６ｂをブランク３５の周縁に内面を摺接させて出没可能とすべく、上部軸５と平行な軸１７を介して枢着したものである。
そして、隣り合うスラット３４間の間隙を閉鎖するため、ロールカーテン等の展開可能な遮蔽体３６を隣り合うスラット３４間に跨がって装着している。
他の構成及び作用効果は、前述した第１の実施の形態のものとほぼ同様であるので、同一の構成部材等には同一の符号を付してその説明を省略する。
【００２５】
図１０、図１１、図１２及び図１３は本発明に係るバケットエレベータの第３の実施の形態を示す要部の右側面断面図、図１０におけるXI方向矢視拡大図、図１１における XII−XII 線矢視拡大断面図及び図１２におけるXIII方向矢視図である。
このバケットエレベータは、前述した両実施の形態のものが、チェーン上昇側において両端のチェーン１２間に収まる上向コ字状のブランク１５，３５を隣り合う２枚に亘る又は所要枚数毎の１枚のスラット１３，１４、３４に形成すると共に、各バケット１６を曲板状の底壁１６ａ、ほぼ扇形の両側壁１６ｂ及び揺動アーム１６ｃによって概略構成し、バケット１６を、スラット１３，１４、３４の外側面から底壁１６ａ及び両側壁１６の内面をブランク１５，３５の周縁に摺接させて出没可能としたのに対し、後述するようにスラットにコ字状のブランクを設けることなく、隣り合うスラット間からバケットを出没可能としたものである。
【００２６】
すなわち、両端のチェーン１２の外側には、第１の実施の形態のものと同様に、比較的小幅のスラット１３と比較的大幅のスラット１４とが、所要時間で交互に多数掛け渡されており、比較的小幅のスラット１３の一側縁（図１１においては上側縁）には、後述するバケットの複数の補強リブを通過可とする複数の切欠き３７が設けられている。
一方、比較的大幅の各スラット１４の内側面（図１２においては右側面）には、曲率中心線が上部軸５と平行な曲板状呈し、両端のチェーン１２間に収まる長さの底壁３８ａ、底壁３８ａの少くとも両端における内面（凹曲面）の一側縁（図１２においては右側縁）寄りに先端を取り付けた複数の揺動アーム３８ｂ、各揺動アーム３８ｂの先端間に横架した補強プレート３８ｃ及び底壁３８ａの外面（凸曲面）に取り付けた円弧状の複数の補強リブ３８ｄからなるバケット３８の両端の揺動アーム３８ｂの基部が、スラット１３，１４の外側面（図１２においては左側面）から底壁３８ａの内面を比較的大幅のスラット１４の一側縁（（図１１においては下側縁）に摺接させて出没可能とすべく、底壁３８ａの内面がチェーン上昇側において上となるようにして上部軸５と平行な軸１７を介して枢着されている。
他の構成及び作用効果は、前述した第１の実施の形態のものとほぼ同様であるので、同一の構成部材等には同一の符号を付してその説明を省略する。
【００２７】
なお、上述した各実施の形態においては、突出ガイドレール２を上部、下部軸５，６の軸受ブラケットとして兼用する場合について説明したが、これに限定されるものではなく、機枠１の上、下端に別途軸受ブラケットを取り付けたり、あるいは機枠１の上、下端を上、下に延長して軸受部としてもよい。
又、突出ガイドレール２の中間部突出ガイドレール２ｃは、複数とする場合に限らず、１枚としてもよい。
更に、バケット１６が出し入れされるブランク１５，３５は、全てのスラット１３，１４、３４に設ける場合に限らず、所要毎数毎のスラット１３，１４、３４に設けるようにしてよい。
【００２８】
【発明の効果】
以上説明したように、本発明の第１のバケットエレベータによれば、被搬送物を収容したバケットがチェーンの上昇に伴って上昇し、機枠の上方を通過後、被搬送物の大部分がバケットから排出され、バケットがチェーンの下降に伴って下降始めると、バケットが底壁及び両側壁の内面をブランクの周縁に摺接しながらスラットの外側面から没入するので、バケットの底壁及び両側壁の内面に付着した被搬送物が強制的に掻き取られることとなり、付着性・粘着性の被搬送物をバケットから完全に排出することができる。
【００２９】
第２のバケットエレベータによれば、第１のものによる作用効果の他、スラットの外側面からのバケットの没入時に、スクレーパがバケットの底壁及び両側壁の外面と摺接するので、バケットの底壁及び両側壁の外面に付着した被搬送物が強制的に掻き取られることとなり、付着性・粘着性の被搬送物の搬送効率を高めることができる。
【００３０】
第３のバケットエレベータによれば、被搬送物を収容したバケットがチェーンの上昇に伴って上昇し、機枠の上方を通過後、被搬送物の大部分がバケットから排出され、バケットがチェーンの下降に伴って下降し始めると、バケットが底壁の内面をスラットの一側縁に摺接しながらスラットの外側面から没入するので、バケットの底壁の内面に付着した被搬送物が強制的に掻き取られることとなり、付着性・粘着性の被搬送物をバケットから完全に排出することができる。
【００３１】
第４のバケットエレベータによれば、第３のものによる作用効果の他、スラットの外側面からのバケットの没入時に、スクレーパがバケットの底壁の外面と摺接するので、バケットの底壁の外面に付着した被搬送物が強制的に掻き取られることとなり、付着性・粘着性の被搬送物の搬送効率を高めることができる。
【００３２】
又、第５のバケットエレベータによれば、第１、第２、第３又は第４のものによる作用効果の他、隣り合うスラット間からのスラットの内側面側への被搬送物の侵入が阻止されるのでチェーン等への被搬送物の付着を防止することができ、円滑な運転を継続することができる。
【図面の簡単な説明】
【図１】本発明に係るバケットエレベータの第１の実施の形態を示す一部を省略した右側面断面図である。
【図２】図１のバケットエレベータの一部を省略した正面断面図である。
【図３】図１におけるIII 方向矢視拡大図である。
【図４】図３におけるIV方向矢視図である。
【図５】図１のエレベータの要部の拡大図である。
【図６】図１におけるVI−VI線矢視拡大断面図である。
【図７】本発明に係るバケットエレバータの第２の実施の形態を示す要部の右側面断面図である。
【図８】図７におけるVIII方向矢視拡大図である。
【図９】図８におけるIX方向矢視図である。
【図１０】本発明に係るバケットエレバータの第３の実施の形態を示す要部の右側面断面図である。
【図１１】図１０におけるIX方向矢視拡大図である。
【図１２】図１１における XII−XII 線矢視拡大断面図である。
【図１３】図１２におけるXIII方向矢視拡大図である。
【符号の説明】
１  機枠
２  突出ガイドレール
２ａ  上部突出ガイドレール
２ｂ  下部突出ガイドレール
２ｃ  中間部突出ガイドレール
５  上部軸
６  下部軸
７  スプロケット
８  スプロケット
１２  チェーン
１３  スラット
１４  スラット
１５  ブランク
１６  バケット
１６ａ  底壁
１６ｂ  側壁
１６ｃ  揺動アーム
１７  軸
１８  コロ
１９  ピン
２０  スクレーパ
２１  スクレーパ
２３  遮蔽体
２４  遮蔽体
２９  没入ガイドレール
３４  スラット
３５  ブランク
３６  遮蔽体
３８  バケット
３８ａ  底壁
３８ｂ  揺動アーム
【図１】
0004100949.tif 000002
【図２】
0004100949.tif 000003
【図３】
0004100949.tif 000004
【図４】
0004100949.tif 000005
【図５】
0004100949.tif 000006
【図６】
0004100949.tif 000007
【図７】
0004100949.tif 000008
【図８】
0004100949.tif 000009
【図９】
0004100949.tif 000010
【図１０】
0004100949.tif 000011
【図１１】
0004100949.tif 000012
【図１２】
0004100949.tif 000013
【図１３】
0004100949.tif 000014